(57)【要約】【課題】  日誌入力作業に対する作業者の負担を軽減し、かつ、正確な情報を入力することができる日誌入力支援端末を得る。【解決手段】  日誌入力支援端末に、日時情報取得手段１０１と、場所情報取得手段１０２と、使用資材情報取得手段１０３と、作業内容情報取得手段１０４と、日誌入力情報管理手段１０７と、日誌入力情報記憶手段１０８とを設ける。日誌入力情報管理手段１０７は、日時情報取得手段１０１によって取得された日時情報と、場所情報取得手段１０２で取得された場所情報と、使用資材情報取得手段１０３で取得された使用資材情報とを、日誌入力情報として管理し、また、これを日誌入力情報記憶手段１０８に保存する。【選択図】        図１
2006107273.tif 000002
【特許請求の範囲】
【請求項１】
農作業における日誌入力のための日時情報を取得する日時情報取得手段と、
農作業における日誌入力のための場所情報を取得する場所情報取得手段と、
農作業で使用する使用資材の情報を取得する使用資材情報取得手段と、
農作業の作業内容の情報を取得する作業内容情報取得手段と、
前記日時情報取得手段によって取得された日時情報と、前記場所情報取得手段で取得された場所情報と、前記使用資材情報取得手段で取得された使用資材情報とを、日誌入力情報として管理する日誌入力情報管理手段とを備えた日誌入力支援端末。
【請求項２】
使用資材の使用量情報を取得する使用量情報取得手段を備えた請求項１記載の日誌入力支援端末。
【請求項３】
作業場所の温湿度情報を取得する温湿度情報取得手段を備えた請求項１または請求項２のうちのいずれか１項記載の日誌入力支援端末。
【請求項４】
日時情報取得手段及び場所情報取得手段は、ＧＰＳを用いたことを特徴とする請求項１記載の日誌入力支援端末。
【請求項５】
使用資材情報取得手段は、使用資材に付与されたバーコードを読み取り、当該使用資材を特定するバーコード読み取り手段を用いて構成されることを特徴とする請求項１記載の日誌入力支援端末。
【請求項６】
作業内容取得手段は、予め設けられた複数の作業内容を識別するためのバーコードを読み取り、作業内容を特定するバーコード読み取り手段を用いて構成されることを特徴とする請求項１記載の日誌入力支援端末。
【請求項７】
日誌入力支援端末と日誌入力装置とからなり、
前記日誌入力支援端末は、
農作業における日誌入力のための日時情報を取得する日時情報取得手段と、
農作業における日誌入力のための場所情報を取得する場所情報取得手段と、
農作業で使用する使用資材の情報を取得する使用資材情報取得手段と、
農作業の作業内容の情報を取得する作業内容情報取得手段と、
前記日時情報取得手段によって取得された日時情報と、前記場所情報取得手段で取得された場所情報と、前記使用資材情報取得手段で取得された使用資材情報とを、日誌入力情報として管理する日誌入力情報管理手段とを備え、
前記日誌入力装置は、
前記日誌入力支援端末からの日誌入力情報を受け取って、少なくとも農作業の日時、場所、使用資材、作業内容のデータを含む日誌を作成する日誌作成部を備えた日誌入力システム。
【発明の詳細な説明】
【技術分野】
【０００１】
この発明は、農作業を管理するための日誌の入力を支援するための日誌入力支援端末及びこれを用いた日誌入力システムに関するものである。
【背景技術】
【０００２】
今日、農作業の作業内容を日誌として記録し管理する日誌入力システムが用いられている。このような日誌入力システムでは、作業者が、農作業の日時や場所、作業内容、使用資材といった各種の情報を日誌に入力することにより、農作業の管理を行ったり、作業履歴を出力したりすることができるものである。
従来、作業者は圃場で作業を行い、自宅に戻ってから、圃場での作業の記憶を頼りにこのような日誌入力システムに対して日誌情報の入力を行っていた。また、作業者が過去の作業をまとめて入力しようとした場合は、実施した作業内容を忘れてしまい、正確な情報を記録できないことがあった。
一方、農作業機械にＧＰＳ（全地球測位システム）による位置情報の自動取得手段を設け、この情報を用いて農作業の管理を行うようにした農作業管理装置があった（例えば、特許文献１参照）。
【０００３】
【特許文献１】特開２００２−１４９７４４号公報
【発明の開示】
【発明が解決しようとする課題】
【０００４】
しかしながら、農作業を管理するための日誌への入力情報は、位置情報だけではなく、使用資材や作業内容といった各種の情報が存在する。このため、従来の農作業管理装置のように単に位置情報や日時情報を取得するだけでは作業者の日誌入力作業の負担を軽減することは困難であった。
【０００５】
この発明は上記のような課題を解決するためになされたもので、日誌入力作業に対する作業者の負担を軽減し、かつ、正確な情報を入力することができる日誌入力支援端末及びこれを用いた日誌入力システムを得ることを目的とする。
【課題を解決するための手段】
【０００６】
この発明に係る日誌入力支援端末は、日時情報を取得する日時情報取得手段と、場所情報を取得する場所情報取得手段と、使用資材情報を取得する使用資材情報取得手段と、農作業の作業内容情報を取得する作業内容情報取得手段と、日時情報と場所情報と使用資材情報とを日誌入力情報として管理する日誌入力情報管理手段とを備えたものである。
【発明の効果】
【０００７】
この発明の日誌入力支援端末は、日時情報取得手段と、場所情報取得手段と、使用資材情報取得手段と、作業内容情報取得手段と、日誌入力情報管理手段とを設け、この日誌入力情報管理手段によって、日時情報と場所情報と使用資材情報とを日誌入力情報として管理するようにしたので、日誌入力作業に対する作業者の負担を軽減し、かつ、正確な情報を入力することができる。
【発明を実施するための最良の形態】
【０００８】
実施の形態１．
図１は、この発明の実施の形態１による日誌入力支援端末を示す構成図である。
図において、日誌入力支援端末１００は、日時情報取得手段１０１、場所情報取得手段１０２、使用資材情報取得手段１０３、作業内容情報取得手段１０４、使用量情報取得手段１０５、温湿度情報取得手段１０６、日誌入力情報管理手段１０７を備えている。
【０００９】
日誌入力支援端末１００は、ＰＤＡ（Personal Digital Assistants）や携帯電話といった、記憶部と演算処理機能を有する携帯端末で構成されている。日時情報取得手段１０１及び場所情報取得手段１０２は、例えばＧＰＳシステムによる日時、位置検出機能を用いて構成されている。尚、ＧＰＳシステムにおけるＧＰＳ衛星２００からの信号受信機能や、日時、位置検出機能については公知であるため、ここでの説明は省略する。また、日時情報取得手段１０１については、ＧＰＳシステム以外にも、日誌入力支援端末１００自身として有する時計機能を用いて構成してもよい。また、場所情報取得手段１０２についても、作業場所がビニールハウスといったＧＰＳ衛星２００からの信号受信が困難な場所については、圃場の出入り口等にバーコードを設け、これを読み取ることで場所を特定するといった構成であってもよい。尚、この場合には、場所情報取得手段１０２がバーコードリーダを用いて構成されることになる。
【００１０】
使用資材情報取得手段１０３は、例えば農薬や肥料といった農作業で用いる使用資材の情報を取得する手段であり、例えば、バーコードリーダで構成されている。即ち、例えば、使用資材３００が袋詰めや容器入りの農薬や肥料であった場合、その袋や容器に、内容を特定するためのバーコード３０１を予め設けておき、このバーコード３０１をバーコードリーダで読み取ることによって、使用資材３００を特定するよう構成されている。尚、バーコードリーダは、例えば、日誌入力支援端末１００の本体とは別体のバーコードリーダで構成されるが、本体にカメラ機能を備えたものではこのカメラ機能を用いてもよい。
【００１１】
作業内容情報取得手段１０４は、例えば、農薬散布や肥料散布、あるいは田植えといった作業内容の情報を取得する手段であり、例えば、バーコードリーダで構成されている。この場合、農薬散布機といった農作業機械４００や他の器具を用いる農作業については、農作業機械４００や器具等に予め設けられたバーコード４０１をバーコードリーダで読み取ることにより作業内容を特定するよう構成されている。また、このような農作業機械４００や器具を用いない農作業については、予め、各作業内容とバーコード５０１との対応を示す一覧表５００を用意し、該当する作業内容のバーコードをバーコードリーダで読み取ることにより作業内容を特定するよう構成されている。
【００１２】
尚、作業内容情報取得手段１０４として、このような一覧表５００を用いるのではなく、例えば、作業内容の選択画面を日誌入力支援端末１００のディスプレイに表示し、作業者がその場で選択するよう構成してもよい。また、例えば農薬置き場が決まっているといったように、使用資材の保管場所が決まっている場合、使用資材情報取得手段１０３及び作業内容情報取得手段１０４は、場所情報取得手段１０２から位置情報に基づいて、使用資材情報と作業内容情報を取得するようにしてもよい。即ち、場所情報取得手段１０２の場所情報として農薬の保管場所の位置が得られた場合は、使用資材は農薬であり、作業内容は農薬散布とする、といった取得方法である。
【００１３】
使用量情報取得手段１０５は、農作業機械４００が使用資材の使用量の検出機能を有するものであった場合に、この使用量信号を取得して使用量情報を取得する手段である。この場合、農作業機械４００からの信号受信手段としては、ＲＳ−２３２Ｃ、ＵＳＢ、赤外線通信、無線ＬＡＮといった手段を用いるものとする。温湿度情報取得手段１０６は、日誌入力支援端末１００に設けられた温度センサ及び湿度センサを用いて構成されている。
日誌入力情報管理手段１０７は、上述した日時情報取得手段１０１〜温湿度情報取得手段１０６によって得られた取得情報を、日誌入力情報として管理すると共に、この日誌入力情報を日誌入力情報記憶手段１０８に保存する手段である。また、日誌入力情報記憶手段１０８は、不揮発性メモリから構成され、日誌入力支援端末１００として日誌入力情報を保存するための記憶部である。
【００１４】
次に、実施の形態１の動作について説明する。
図２は、実施の形態１の動作を示すフローチャートである。
作業者は、農作業を行う場合、圃場に到着すると、先ず、日誌入力支援端末１００によって、使用資材の情報と作業内容の情報を取得する（ステップＳＴ１０１）。例えば、作業内容が農薬散布であった場合、農薬（使用資材３００）のバーコード３０１を読み取ることにより、使用資材情報取得手段１０３及び作業内容情報取得手段１０４は、使用資材情報と作業内容情報（農薬散布を示す情報）を取得することができる。また、農作業機械４００のバーコード４０１を読み取ることにより、作業内容情報取得手段１０４は、作業内容情報を取得することができる。あるいは、作業内容が使用資材３００や農作業機械４００や他の器具を用いないものであった場合は、一覧表５００における作業内容に該当するバーコード５０１を読み取ることにより、作業内容情報を取得する。そして、これら取得された情報は、日誌入力情報管理手段１０７に入力される。
【００１５】
ステップＳＴ１０１において、使用資材及び作業内容情報が取得されると、日誌入力情報管理手段１０７は、これをトリガとして、日時情報取得手段１０１、場所情報取得手段１０２及び温湿度情報取得手段１０６に情報取得を指示する。これにより、日時情報取得手段１０１、場所情報取得手段１０２及び温湿度情報取得手段１０６は、その時点の日時、場所及び温湿度情報を取得する（ステップＳＴ１０２、ステップＳＴ１０３）。尚、上記の日時情報及び場所情報は、ＧＰＳによって取得するものであるが、圃場がビニールハウスといったようにＧＰＳ衛星２００から信号受信が困難である場所では、ビニールハウスの出入り口付近に設けた圃場の場所を示すバーコードを読み取ることにより、場所情報を取得する。また、この場合の日時情報については、日誌入力支援端末１００における時計機能を用いて取得する。更に、この場合の温湿度情報については、ビニールハウス外部とは温度、湿度に差があるため、場所情報を取得してから所定時間経過後、即ちビニールハウスに入ってから暫くして取得するものとする。
【００１６】
その後、作業者は目的とする農作業を実施し、農作業が終了した場合は、使用量情報取得手段１０５によって、農作業機械４００より使用量情報を取得する（ステップＳＴ１０４）。そして、作業者によって、これらの取得情報の記憶指示がなされると、日誌入力情報管理手段１０７は、これら取得情報を日誌入力情報として日誌入力情報記憶手段１０８に保存する（ステップＳＴ１０５）。その後、ステップＳＴ１０６において、終了操作が行われた場合は、日誌入力支援端末１００の電源をオフとし、終了操作が行われない場合は、ステップＳＴ１０１の情報入力の初期状態に戻る。尚、温湿度情報取得手段１０６は、終了時の温湿度情報も取得するようにしてもよい。また、日誌入力支援端末１００において、複数の農作業分の日誌入力情報を保存できるようにしてもよい。
【００１７】
以上のように、実施の形態１の日誌入力支援端末によれば、農作業における日誌入力のための日時情報を取得する日時情報取得手段と、農作業における日誌入力のための場所情報を取得する場所情報取得手段と、農作業で使用する使用資材の情報を取得する使用資材情報取得手段と、農作業の作業内容の情報を取得する作業内容情報取得手段と、日時情報取得手段によって取得された日時情報と、場所情報取得手段で取得された場所情報と、使用資材情報取得手段で取得された使用資材情報とを、日誌入力情報として管理する日誌入力情報管理手段とを備えたので、作業者自身が各種の情報を手入力する必要がないため、日誌入力作業に対する作業者の負担が軽減され、かつ、実際の作業時に各種の情報がその場で得られるため、正確な情報を得ることができる。
【００１８】
また、実施の形態１の日誌入力支援端末によれば、使用資材の使用量情報を取得する使用量情報取得手段を備えたので、作業者は使用量情報を入力する必要がなく、作業量情報入力のための作業者の負担が軽減されると共に、正確な使用量の情報を得ることができる。
【００１９】
また、実施の形態１の日誌入力支援端末によれば、作業場所の温湿度情報を取得する温湿度情報取得手段を備えたので、作業者が温湿度情報を取得する必要がなく、また、ビニールハウスといった外部とは温湿度環境が異なる圃場であっても、正確な温湿度情報を得ることができる。
【００２０】
また、実施の形態１の日誌入力支援端末によれば、日時情報取得手段及び場所情報取得手段としてＧＰＳを用いたので、作業者が日時情報や場所情報を入力する必要がなく、また、特に正確な位置情報が得られるため、例えば使用資材の保管場所が予め決まっている場合等、この位置情報を用いて使用資材の情報も得ることができる。
【００２１】
また、実施の形態１の日誌入力支援端末によれば、使用資材情報取得手段を、使用資材に付与されたバーコードを読み取り、使用資材を特定するバーコード読み取り手段を用いて構成するようにしたので、作業者が使用資材情報を容易に取得することができる効果がある。
【００２２】
また、実施の形態１の日誌入力支援端末によれば、作業内容取得手段を、予め設けられた複数の作業内容を識別するためのバーコードを読み取り、作業内容を特定するバーコード読み取り手段を用いて構成するようにしたので、作業者が容易に作業内容情報を取得することができると共に、複数の作業内容の中から該当する作業内容の情報を容易に選択、取得することができる。
【００２３】
実施の形態２．
実施の形態２は、日誌入力支援端末１００で取得した日誌入力情報を用いて日誌入力装置によって日誌入力を行う日誌入力システムに関するものである。
図３は、日誌入力システムの構成図である。
図示のように、日誌入力システムは、日誌入力支援端末１００、端末インタフェース装置６００、日誌入力装置７００を備えている。日誌入力支援端末１００は、図１に示した実施の形態１の日誌入力支援端末１００である。端末インタフェース装置６００は、日誌入力支援端末１００の日誌入力情報記憶手段１０８に記憶されている日誌入力情報を日誌入力装置７００に取り込むためのインタフェースであり、日誌入力支援端末１００とは専用のインタフェースあるいはＲＳ−２３２ＣやＵＳＢといった汎用のインタフェースによって信号接続するよう構成されている。また、この端末インタフェース装置６００は、日誌入力支援端末１００の充電を行う充電台を兼ねていてもよい。
【００２４】
日誌入力装置７００は、例えばパーソナルコンピュータで構成され、日誌作成部７０１、日誌情報格納部７０２、入力部７０３、気象情報取得部７０４、日誌情報出力部７０５を備えている。日誌作成部７０１は、端末インタフェース装置６００を介して日誌入力支援端末１００の日誌入力情報を取得すると共に、日誌情報格納部７０２に格納されている日誌のフォーマットを読み出し、日誌入力情報によって日誌の自動作成を行う機能を有しており、作成処理に対応したソフトウェアとこれを実行するためのＣＰＵやメモリといったハードウェアから実現されている。また、日誌作成部７０１は、入力部７０３からの入力や気象情報取得部７０４からの気象情報に基づいて日誌作成を行うように構成されている。日誌情報格納部７０２は、圃場毎に、作業情報（日付、天候、気温、作目、作業名、時間、目的等）と使用資材情報（区分、資材コード、資材名、使用量、使用水量、希釈倍数等）を入力するための日誌のフォーマットを格納する機能部である。尚、使用資材情報において、区分とは農薬／肥料／その他の資材といった項目である。
【００２５】
入力部７０３は、作業者が日誌入力装置７００に対して各情報を入力するための機能部であり、キーボードやポインティングデバイスを用いて構成されている。気象情報取得部７０４は、例えば気象庁の統計情報といった任意の日付の天候情報を取得するための機能部であり、例えばインターネット接続機能等を用いて構成されている。日誌情報出力部７０５は、日誌作成部７０１によって作成された日誌情報を帳票８００として出力したり、あるいは作業履歴９００として出力したりする機能部である。
【００２６】
次に、実施の形態２の動作について説明する。
図４は、実施の形態２の動作を示すフローチャートである。
日誌入力装置７００では、日誌作成部７０１の処理中に日誌入力支援端末１００を端末インタフェース装置６００に接続することにより、日誌入力支援端末１００の日誌入力情報記憶手段１０８に格納されている日誌入力情報が日誌作成部７０１に取り込まれる（ステップＳＴ２０１、ステップＳＴ２０２）。あるいは、日誌入力支援端末１００を端末インタフェース装置６００に接続することにより、日誌作成部７０１が日誌作成処理を自動起動するようにしてもよい。このように、日誌入力支援端末１００の日誌入力情報が入力されると、日誌作成部７０１は、気象情報取得部７０４によって取得される気象情報（作業日の天気）を日誌入力情報として取り込む（ステップＳＴ２０３）。尚、日誌入力支援端末１００が温湿度情報取得手段１０６を備えていないものに対しては、天候情報や温度、湿度情報を気象情報取得部７０４から取り込むようにしてもよい。
【００２７】
また、日誌入力支援端末１００において使用資材の使用量情報が自動取得できなかった等、日誌入力支援端末１００で取得できなかった情報があった場合（ステップＳＴ２０４）では、作業者は入力部７０３により情報入力を行う（ステップＳＴ２０５）。次に、ステップＳＴ２０５の処理により日誌入力情報が全て入力された場合、あるいはステップＳＴ２０４において全ての情報が揃っていた場合、日誌作成部７０１は、取得した日誌入力情報に基づいて日誌作成を行う（ステップＳＴ２０６）。その後は、作業者の選択指示により、日誌情報出力部７０５が帳票８００を出力したり作業履歴９００を出力したりしてもよい。
尚、日誌入力支援端末１００に複数の日誌入力情報が保存可能な場合は、日誌入力装置７００において何日か分まとめて入力することも可能である。
【００２８】
以上のように、実施の形態２の日誌入力システムによれば、日誌入力支援端末と日誌入力装置とからなり、日誌入力支援端末は、農作業における日誌入力のための日時情報を取得する日時情報取得手段と、農作業における日誌入力のための場所情報を取得する場所情報取得手段と、農作業で使用する使用資材の情報を取得する使用資材情報取得手段と、農作業の作業内容の情報を取得する作業内容情報取得手段と、日時情報取得手段によって取得された日時情報と、場所情報取得手段で取得された場所情報と、使用資材情報取得手段で取得された使用資材情報とを、日誌入力情報として管理する日誌入力情報管理手段とを備え、日誌入力装置は、日誌入力支援端末からの日誌入力情報を受け取って、少なくとも農作業の日時、場所、使用資材、作業内容のデータを含む日誌を作成する日誌作成部を備えたので、作業者自身が各種の情報を手入力する必要がないため、日誌入力作業に対する作業者の負担を軽減することができる。また、日誌入力支援端末によって実際の作業時に各種の情報がその場で取得できるため、正確な情報を入力することができ、その結果、日誌として正確な情報を記載したものを作成することができる。
【図面の簡単な説明】
【００２９】
【図１】この発明の実施の形態１による日誌入力支援端末を示す構成図である。
【図２】この発明の実施の形態１の動作を示すフローチャートである。
【図３】この発明の実施の形態２による日誌入力システムを示す構成図である。
【図４】この発明の実施の形態２の動作を示すフローチャートである。
【符号の説明】
【００３０】
１００  日誌入力支援端末、１０１  日時情報取得手段、１０２  場所情報取得手段、１０３  使用資材情報取得手段、１０４  作業内容情報取得手段、１０５  使用量情報取得手段、１０６  温湿度情報取得手段、１０７  日誌入力情報管理手段、３００  使用資材、３０１，５０１  バーコード、５００  一覧表、７００  日誌入力装置、７０１  日誌作成部。
【図１】
2006107273.tif 000003
【図２】
2006107273.tif 000004
【図３】
2006107273.tif 000005
【図４】
2006107273.tif 000006